(57)【要約】【課題】誘導性負荷が異常に加熱されても、ＣＰＵが介在しないハードウェア回路により誘導性負荷の異常な加熱を確実に阻止できる画像形成装置を提供する。【解決手段】電磁クラッチやソレノイド等の誘導性負荷に給電する電源回路と、前記誘導性負荷の温度を検出する温度検出部と、前記温度検出部による検出温度と基準温度の比較結果に基づいて前記電源回路を作動または停止する電源制御回路を備え、ＣＰＵを介在せずに電磁クラッチやソレノイド等の誘導性負荷の温度を検出することで、誘導性負荷に対する異常通電状態を検出し、誘導性負荷に給電する電源回路を作動または停止し、ハードウェア回路の構成のみで誘導性負荷の異常な加熱を確実に阻止し、発煙等の危険性を回避する。【選択図】図３
2009109525.tif 000002
【特許請求の範囲】
【請求項１】
電磁クラッチやソレノイド等の誘導性負荷に給電する電源回路と、前記誘導性負荷の温度を検出する温度検出部と、前記温度検出部による検出温度と基準温度の比較結果に基づいて前記電源回路を作動または停止する電源制御回路を備えている画像形成装置。
【請求項２】
前記温度検出部は、各誘導性負荷の駆動電流を接地電位に通流させる回路パターンに形成された発熱パターンと、前記発熱パターンに設けた温度検出素子で構成されている請求項１記載の画像形成装置。
【発明の詳細な説明】
【技術分野】
【０００１】
本発明は、電磁クラッチやソレノイド等の誘導性負荷を備えた画像形成装置に関する。
【背景技術】
【０００２】
複写機やプリンタ等の画像形成装置には、用紙を搬送するローラ等を所定のタイミングで駆動または停止するために、電磁クラッチやソレノイド等の誘導性負荷が組み込まれている。
【０００３】
例えば、用紙収納部から用紙をピックアップする給紙ローラには給紙クラッチが設けられ、メインモータからの駆動力が給紙クラッチを介して給紙ローラに伝達され、像担持体である感光体に形成されたトナー画像と同期して用紙を転写部に搬送するレジストローラにはレジストクラッチが設けられ、メインモータからの駆動力がレジストクラッチを介してレジストローラに伝達される。
【０００４】
このような電磁クラッチやソレノイドは、通常、画像形成装置を制御するマイクロコンピュータによって間歇的に駆動されるもので、長時間にわたって連続駆動されると、温度が異常に上昇して装置に損傷を与える虞がある。
【０００５】
一方、特許文献１には、ソレノイドの温度変化があっても、常に一定の筆圧を付与することができ、ソレノイドの異常発熱を防止することのできるプロッタの筆圧制御装置を提供することを目的として、ペンを保持するペン保持部と、上記ペン保持部に連結され、ペンを上下動させるためのソレノイドと、上記ソレノイドに指定電流を出力して上記ソレノイドを駆動させる定電流ドライバと、上記定電流ドライバに指定電流値を指示する指定電流値指示装置と、上記ソレノイドの温度を検出する温度検出装置と、上記温度検出装置が検出した温度データを取り込み、その温度データから指定電流の補正値を算出する補正装置とを備え、上記ソレノイドの温度が変化したとき、上記補正装置から上記定電流ドライバに補正値が出力され、これを受けた定電流ドライバが指定電流値に補正値を加算した電流をソレノイドに出力するように構成されたプロッタの筆圧制御装置が提案されている。
【特許文献１】特開平０７−２９０８９５号公報
【発明の開示】
【発明が解決しようとする課題】
【０００６】
しかし、特許文献１に開示されたように、ソレノイドに温度検出装置を備えて、ソレノイドの温度変化をＣＰＵを備えた筆圧制御装置で検出するような構成を採用する場合、検出温度をＣＰＵへ入力するための入力ポートが必要となるため、ポート数が制限される安価なマイクロコンピュータではポートの余裕がなく、高価なマイクロコンピュータを採用せざるを得なくなるという問題があった。
【０００７】
また、ＣＰＵがノイズ等の影響で暴走すると、最早適切に対処できないという問題もあった。
【０００８】
本発明の目的は、上述の問題に鑑み、誘導性負荷が異常に加熱されても、ＣＰＵが介在しないハードウェア回路により誘導性負荷の異常な加熱を確実に阻止できる画像形成装置を提供する点にある。
【課題を解決するための手段】
【０００９】
上述の目的を達成するため、本発明による画像形成装置の第一の特徴構成は、特許請求の範囲の書類の請求項１に記載した通り、電磁クラッチやソレノイド等の誘導性負荷に給電する電源回路と、前記誘導性負荷の温度を検出する温度検出部と、前記温度検出部による検出温度と基準温度の比較結果に基づいて前記電源回路を作動または停止する電源制御回路を備えている点にある。
【００１０】
上述の構成によれば、例えば、誘導性負荷を制御するＣＰＵがノイズ等の影響で暴走して、誘導性負荷が駆動され続けるような場合が発生しても、温度検出部によって検出される誘導性負荷の温度が基準温度より上昇すると電源制御回路により速やかに誘導性負荷への給電が停止されるので、誘導性負荷が異常に高温になり、発煙したり破損するような事態を未然に回避できるようになる。
【００１１】
同第二の特徴構成は、同請求項２に記載した通り、上述の第一の特徴構成に加えて、前記温度検出部は、各誘導性負荷の駆動電流を接地電位に通流させる回路パターンに形成された発熱パターンと、前記発熱パターンに設けた温度検出素子で構成されている点にある。
【００１２】
上述の構成によれば、電磁クラッチやソレノイド等の誘導性負荷に直接温度検出素子を設ける必要がなく、各誘導性負荷の駆動電流を接地電位に通流させる回路パターンに形成された発熱パターンの温度を検出する単一の温度検出素子により、誘導性負荷の発熱状態が検出できるようになる。
【発明の効果】
【００１３】
以上説明した通り、本発明によれば、誘導性負荷が異常に加熱されても、ＣＰＵが介在しないハードウェア回路により誘導性負荷の異常な加熱を確実に阻止できる画像形成装置を提供することができるようになった。
【発明を実施するための最良の形態】
【００１４】
以下に、本発明による画像形成装置の一例であるデジタル複写機について説明する。
【００１５】
図１に示すように、デジタル複写機１は、原稿をセットする原稿載置部２と、セットされた原稿の画像情報を電子データに変換して読み取る画像読取部３と、画像読取部３で読み取られた電子データを出力画像データに変換する画像処理部４と、画像処理部４で変換された出力画像データに基づいて感光体５１表面にトナー像を形成する画像形成部５と、感光体５１に形成されたトナー像を用紙に転写する転写部６と、用紙に転写されたトナー像を加熱定着する定着部８と、用紙が収容されたカセットから用紙を給紙搬送する用紙搬送部と、操作部１０等の各機能ブロックを備えるとともに、これらの機能ブロックを制御して所定の画像形成プロセスを実行する制御部２００と、制御部２００に必要な電力を供給する電源部３００を備えて構成される。
【００１６】
操作部１０には、各種の画像形成メニューを設定する複数のメニュー設定キーや画像形成処理を起動するスタートキー等が配置されている。
【００１７】
画像読取部３は、セットされた原稿を自動給送する自動原稿給送部、ＣＣＤ（Ｃｈａｒｇｅ  Ｃｏｕｐｌｅｄ  Ｄｅｖｉｃｅ）ラインイメージセンサを備えた撮像部を備え、撮像部が原稿面を相対的に走査するように原稿を自動給送して当該原稿をライン単位で電子データに変換して読み取る。
【００１８】
画像処理部４は、画像読取部３で読み取った電子データに所定の信号処理（レベル補正、γ補正、Ａ／Ｄ変換等）を施して出力画像データに変換する。
【００１９】
画像形成部５は、感光体５１と、感光体表面を一様に帯電する帯電装置と、画像処理部４により変換された出力画像データに基づきレーザ光を走査して感光体表面を露光して静電潜像を形成する露光装置を備え、形成された静電潜像にトナーを静電的に付着してトナー像として顕像化する。
【００２０】
転写部６は、感光体５１に対向配置された転写ローラ６１と、転写ローラ６１に高圧の転写バイアス電圧を印加する転写バイアス電源を備え、感光体５１と転写ローラ６１の対向部位に搬送された用紙に感光体５１に形成されたトナー像が転写される。
【００２１】
定着部８は、加熱用のヒータ８１を内部に備えた加熱体としての定着ローラ８２と、定着ローラ８２に圧接配置された加圧ローラ８３を備えている。
【００２２】
給紙部９は、用紙を収容する用紙カセット９１と、収容された用紙を一枚ずつ分離してレジスト部７へ送り込む給紙ローラ９２と、搬送ローラ９３を備え、さらに二段のオプション用紙カセット９４（９４ａ，９４ｂ）が増設されている。尚、オプション用紙カセット９４（９４ａ，９４ｂ）も、収容された用紙を一枚ずつ分離してレジスト部７へ送り込む給紙ローラ９５（９５ａ，９５ｂ）と、搬送ローラ９６（９６ａ，９６ｂ）を備えている。
【００２３】
レジスト部７は、感光体５１に形成されるトナー像の先端と用紙の先端が転写部６で一致するタイミングで転写部６に用紙を搬送するレジストローラ７２と、転写前の用紙の先端を検出するレジストセンサ７１を備えている。
【００２４】
図３及び図４に示すように、電源部３００は、商用電源ラインの入力側に設けられたノイズフィルタ３１０と、パワースイッチとしてのリレースイッチ３２０と、入力交流電圧を降圧し、降圧された交流電圧ＡＣを直流電圧Ｖｄｃに変換して制御部２００に供給する電源回路３３０を備えている。
【００２５】
電源回路３３０は、商用電源から入力されたＡＣ１００Ｖの交流電圧が一次側に入力され、降圧した交流電圧ＡＣ２６Ｖと交流電圧ＡＣ１２Ｖを二次側から出力する電源トランス３３１と、交流電圧ＡＣ２６Ｖを変換して直流電圧ＤＣ２４Ｖを出力する第一直流電圧出力部３３２と、交流電圧ＡＣ１２Ｖを変換して直流電圧ＤＣ３．３Ｖを出力する第二直流電圧出力部３３６等が基板に配置されている。
【００２６】
第一直流電圧出力部３３２は、ダイオードブリッジで構成される整流器３３３と平滑用コンデンサ３３４とＤＣレギュレータ３３５等を備え、整流器３３３により交流電圧ＡＣ２６Ｖを整流し、平滑用コンデンサ３３４で平滑化し、ＤＣレギュレータ３３５でＤＣ／ＤＣ変換して直流電圧ＤＣ２４Ｖを出力する。
【００２７】
また、ＤＣレギュレータ３３５には、本発明による電源制御回路に備えたＮＡＮＤ回路５３０の出力信号がリモート信号として接続され、当該リモート信号がハイレベルのときに直流電圧ＤＣ２４Ｖが遮断され、ローレベルのときに直流電圧ＤＣ２４Ｖが出力される。
【００２８】
第二直流電圧出力部３３６は、ダイオードブリッジで構成される整流器３３７と平滑用コンデンサ３３８とＤＣレギュレータ３３９等を備え、整流器３３７により交流電圧ＡＣ１２Ｖを整流し、平滑用コンデンサ３３８で平滑化し、ＤＣレギュレータ３３９でＤＣ／ＤＣ変換して直流電圧ＤＣ３．３Ｖを出力する。
【００２９】
第二直流電圧出力部３３６から制御部２００に電力が供給され、第一直流電圧出力部３３２からクラッチやソレノイド等の誘導性負荷や各種の動力負荷に電力が供給される。尚、本実施形態では、第二直流電圧出力部３３６の出力ＶｄｃがＤＣ３．３Ｖに設定されているが、このような値に限定されるものではなく、制御部２００の動作電圧に応じて適宜設定されるもので、例えば、ＤＣ５Ｖに設定されるものであってもよい。
【００３０】
デジタル複写機１は、駆動源にメインモータを備え、感光体５１、定着ローラ８２、給紙ローラ９２、搬送ローラ９３、レジストローラ７２、転写ローラ６１等がプーリーベルト等の駆動伝達機構を介して連動するように構成されている。
【００３１】
図２に示すように、用紙収納部９から用紙をピックアップする給紙ローラ９２には誘導性負荷としての給紙クラッチＣＬ１が備えられ、ピックアップされた用紙を搬送する搬送ローラ９３には搬送クラッチＣＬ２が備えられ、レジストローラ７２にはレジストクラッチＣＬ３が備えられ、メインモータ４００からの駆動力がプーリーベルト４０１、給紙クラッチＣＬ１を介して給紙ローラ９２に、搬送クラッチＣＬ２を介して搬送ローラ９３に、レジストクラッチＣＬ３を介してレジストローラ７２に夫々伝達される。
【００３２】
図３に示すように、制御部２００は、ＣＰＵ２０２が組み込まれたマイクロコンピュータ２０１と、ＣＰＵ２０２により実行される制御プログラムや制御用のテーブルデータが格納されたＲＯＭ（Ｒｅａｄ  Ｏｎｌｙ  Ｍｅｍｏｒｙ）２０３と、各機能ブロックを制御するための演算データや制御データが格納され、記憶部として機能する電池バックアップされたＲＡＭ（Ｒａｎｄｏｍ  Ａｃｃｅｓｓ  Ｍｅｍｏｒｙ）２０４を備えている。
【００３３】
さらに、メインモータ４００に対する制御信号や、メインモータ４００の駆動力を伝達、遮断するためのレジストクラッチＣＬ３、搬送クラッチＣＬ２等の各クラッチに対する制御信号、及び各機能ブロックに組み込まれたセンサ等からの信号を入力する入出力インタフェース等を備え、ＣＰＵ２０２で実行される制御プログラムに基づいてデジタル複写機１を統括制御して所定の画像形成プロセスを実行するよう構成されている。
【００３４】
上述の構成により、デジタル複写機１に電源が投入されると、マイクロコンピュータ２０２は、ＲＡＭ２０４の初期化や入出力ポートの設定などの処理を実行した後、定着ヒータの温度を所定の温度に制御し、デジタル複写機１は待機状態となる。
【００３５】
マイクロコンピュータ２０１が給紙クラッチＣＬ１を接続または遮断するためのクラッチ制御信号ＣＳ１を出力する出力ポートがトランジスタ５０１のベースに接続され、トランジスタ５０１のコレクタが給紙クラッチＣＬ１の励磁コイル５０２の一端に接続され、励磁コイル５０２の他端に第一直流電圧出力部３３２の電圧が印加されている。
【００３６】
これにより、トランジスタ５０１のベースにクラッチ制御信号ＣＳ１が出力されると、励磁コイル５０２が通電制御されて給紙クラッチＣＬ１が接続または遮断される。給紙ローラ９２を回転駆動するときにはローレベルのクラッチ制御信号ＣＳ１が出力され、給紙ローラ９２を停止するときにはハイレベルのクラッチ制御信号ＣＳ１が出力される。
【００３７】
つまり、励磁コイル５０２に電流が流れると励磁コイル５０２が電磁石となり磁界が発生し、アマチュアとローターが吸引されて連結されることによりメインモータ４００の駆動力がプーリーベルト４０１を介して、給紙ローラ９２に伝達され、電流が切られるとアマチュアとローターが開放され駆動力が遮断されるように構成されている。尚、給紙クラッチＣＬ１を構成する励磁コイル５０２には、並列に逆起電力対策用のダイオード５０３が接続されている。
【００３８】
給紙クラッチＣＬ１には励磁コイル５０２の温度を検出する温度検出部５００としてサーミスタ５０４が取り付けられ、サーミスタ５０４による検出温度と基準温度の比較結果に基づいて、本発明による電源回路である第一直流電圧出力部３３２を作動または停止する電源制御回路が設けられている。
【００３９】
電源制御回路は、抵抗５０５とトランジスタ５０６と抵抗５０７とＮＡＮＤ回路５３０を備えて構成され、直列接続されたサーミスタ５０４と抵抗５０５の接続部の分圧電圧端子がトランジスタ５０６のベースに接続され、トランジスタ５０６のコレクタにＮＡＮＤ回路５３０の入力端子が接続されている。
【００４０】
上述した搬送クラッチＣＬ２及びレジストクラッチＣＬ３も、上述と同様に構成され、マイクロコンピュータ２０１の出力ポートがトランジスタ５１１，５２１のベースと接続され、トランジスタ５１１，５２１のコレクタとクラッチＣＬ２，ＣＬ３を構成する励磁コイル５１２，５２２とが接続されている。
【００４１】
クラッチＣＬ２，ＣＬ３を構成する励磁コイル５１２，５２２には夫々並列に逆起電力対策用のダイオード５１３，５２３が接続され、励磁コイル５１２，５２２の温度を検出する温度検出部５１０，５２０としてサーミスタ５１４，５２４が取り付けられ、サーミスタ５１４，５２４による検出温度と基準温度の比較結果に基づいて第一直流電圧出力部３３２を作動または停止する電源制御回路が設けられている。
【００４２】
図５（ａ）に示すように、制御部２００により、先ずメインモータ４００が駆動されると、次に、図５（ｂ），（ｃ）に示すように、給紙クラッチＣＬ１及び搬送クラッチＣＬ２が駆動される。これにより、給紙ローラ９２及び搬送ローラ９３が回転して用紙の給紙及び搬送が開始される。
【００４３】
給紙クラッチＣＬ１は、給紙部から用紙の後端が抜ける前の所定タイミングで遮断されるが、搬送クラッチＣＬ２は、図５（ｅ）に示すように、レジストセンサ７１で用紙の先端が検出され、所定の時間が経過するまで接続され、その後遮断される。
【００４４】
続いて、図５（ｄ）に示すように、感光体５１に形成されるトナー像の先端と用紙の先端が転写部６で一致するタイミングでレジストクラッチＣＬ３が接続され、用紙を転写部６へと搬送される。給紙が複数枚あるときは次の用紙を搬送すべく、給紙クラッチＣＬ１，搬送クラッチＣＬ２が接続され、上述と同じように用紙が搬送される。
【００４５】
図６に示すように、ユーザが操作部１０でプリントサイズ情報や倍率情報を伴うスタートスイッチの操作を行うと（ＳＡ１）、前記全体制御２００は、メインモータ４００を駆動し、画像形成部５を構成する帯電部材等のエレメントを駆動して画像形成プロセスを起動するとともに、操作部で入力されたプリントサイズ情報に基づいてクラッチ制御信号ＣＳ１を出力し給紙クラッチＣＬ１を導通し、給紙ローラ９２を駆動することで用紙カセット９１，９４ａ，９４ｂから用紙をピックアップし（ＳＡ２）、ＣＰＵ２０２からクラッチ制御信号ＣＳ２を出力し搬送クラッチＣＬ２を導通し、搬送ローラ９３を駆動することで用紙を搬送し（ＳＡ３）、レジストセンサ７１が用紙先端を検出すると、レジストローラ７２で待機させる。尚、このときレジストクラッチＣＬ３は遮断されており、レジストローラ７２は停止している。
【００４６】
画像読取部３により読み取られた画像データは、画像処理部４に入力されて出力画像データに変換され、画像形成部５に備えたレーザが出力画像データに基づいて駆動され、感光体５１に潜像が形成され、続いて現像される。
【００４７】
制御部２００は、感光体５１に形成されるトナー像の先端と用紙の先端が転写部６で一致するタイミングで、クラッチ制御信号ＣＳ３を出力しレジストクラッチＣＬ３を導通し、レジストローラ７２を駆動する。一枚目の用紙に対してレジストローラ７２が駆動すると、用紙サイズ毎に設定された所定のインタバルで二枚目の用紙を給紙する。
【００４８】
上述のように、制御部２００は、設定された枚数のプリントが終了するまで、所定のタイミングで給紙クラッチＣＬ１、搬送クラッチＣＬ２、レジストクラッチＣＬ３等に対しクラッチ制御信号ＣＳを出力制御し、メインモータ４００の駆動を、感光体５１、転写ローラ６１、レジストローラ７２、定着ローラ８２、給紙ローラ９２、搬送ローラ９３等に伝達させ、一連の複写工程を制御することとなる。
【００４９】
このような画像形成装置で、万が一、給紙クラッチＣＬ１の駆動回路のトランジスタ５０１が導通状態であったり、異常なノイズ等によるＣＰＵの暴走や出力ポートのラッチアップ等の異常が生じてクラッチ制御信号ＣＳ１がローレベルに維持されたときには、レジストクラッチＣＬ３への給電が継続されて異常通電状態になり（ＳＡ５）、励磁コイル５０２の温度が上昇し、励磁コイル５０２の周辺に備えた機器や樹脂部材等が高熱により損傷し、或いは変形したり発煙が発生する等の不都合な事態を招く虞がある。
【００５０】
このような場合、励磁コイル５０２に設けたサーミスタ５０４の温度が上昇し（ＳＡ６）、サーミスタ５０４の温度上昇により、サーミスタ５０４の抵抗値が下がり、抵抗５０５との分圧でトランジスタ５０６のＶＢＥが約０．７Ｖに達するとトランジスタ５０６がＯＮする（ＳＡ７）。尚、制御部２００は、デジタル複写機１の機能ブロックの何れかが異常通電状態にあり、一連の複写工程が正常に処理されない可能性があるので、操作部１０にＪＡＭ情報を表示しユーザに通知する。
【００５１】
そしてトランジスタ５０６がＯＮすると、ＮＡＮＤ回路５３０により出力されたハイレベルのリモート信号がＤＣレギュレータ３３５に出力され、直流電圧ＤＣ２４Ｖが遮断される（ＳＡ８）。直流電圧ＤＣ２４Ｖが遮断されることで給紙クラッチＣＬ１の励磁コイル５０２の駆動電圧が遮断され、異常通電状態が解消され（ＳＡ９）、給紙クラッチＣＬ１，励磁コイル５０２自身の発熱発火発煙の危険性を回避することができる。
【００５２】
尚、サーミスタ５０４の温度抵抗特性より抵抗５０５の抵抗値を設定することで、給紙クラッチＣＬ１，励磁コイル５０２の温度監視レベルを任意に決定することが可能である。
【００５３】
搬送クラッチＣＬ２やレジストクラッチＣＬ３が常に通電される場合も同様である。
【００５４】
上述のように、給紙ローラ９２、レジストローラ７２、搬送ローラ９３の駆動回路はＮＡＮＤ回路５３０に並列に接続され、ＣＰＵ２０２の暴走等により、何れかの励磁コイルが異常通電状態になると、ＤＣレギュレータ３３５にハイレベルのリモート信号が出力され直流電圧ＤＣ２４Ｖが遮断される。尚、誘導性負荷は上述したクラッチＣＬ１，ＣＬ２，ＣＬ３に限らず、装置に組み込まれている他のクラッチやソレノイド等もあり、夫々の誘導性負荷に上述の温度検出部が設けられ、検出温度と基準温度の比較結果に基づいて電源制御回路により電源回路が作動または停止される。
【００５５】
上述の実施形態では、各電磁クラッチやソレノイド等の夫々に備えた何れかのサーミスタの温度上昇により、各電磁クラッチやソレノイド等の何れかが異常通電状態であることを個々に検出する場合について説明したが、本発明は、これに限られず、制御部２００を構成する回路基板に形成された複数の電磁クラッチ、ソレノイドに共通のＧＮＤパターンに発熱パターンを形成し、当該発熱パターンの温度をチップサーミスタで検出することにより、複数の電磁クラッチ、ソレノイドの何れかが異常通電状態であることを検出する構成であってもよい。
【００５６】
つまり、図７に示すように、給紙クラッチＣＬ１、搬送クラッチＣＬ２、レジストクラッチＣＬ３等誘導性負荷に対する共通のＧＮＤパターンのパターン幅を一部狭くして抵抗成分を備えるか、パターン間に抵抗６０１を接続した発熱パターンを形成し、温度検出部６００として発熱パターンの温度を検出するチップサーミスタ６０２を備え、チップサーミスタ６０２による検出温度と基準温度の比較結果に基づいて電源回路を作動または停止する電源制御回路としての抵抗６０３とトランジスタ６０４と抵抗６０５とインバータ６０６を備える構成であってもよい。
【００５７】
詳述すると、チップサーミスタ６０２と抵抗６０３の分圧電圧端子にトランジスタ６０４のベースが接続され、トランジスタ６０４のコレクタにインバータ６０６を接続し、その出力がリモート信号として電源回路に接続されるのである。
【００５８】
複数の電磁クラッチやソレノイドの何れかが異常通電状態である場合、共通のＧＮＤパターンに備えた発熱パターンの温度が上昇してチップサーミスタ６０２の抵抗値が下がり、抵抗６０２との分圧でトランジスタ６０４のＶＢＥが約０．７Ｖに達するとトランジスタ６０４がＯＮする。そしてトランジスタ６０４がＯＮすると、インバータ６０６により出力されたハイレベルのリモート信号がＤＣレギュレータ３３５に出力され、直流電圧ＤＣ２４Ｖが遮断される。
【００５９】
また、電源制御回路は上述のインバータ６０６に替えて、電界効果トランジスタ７１２を用いて構成してもよい。この場合、図８に示すように、電源制御回路はチップサーミスタ７０１、抵抗７０２，７０２，７０４，７０５，７０６，７０８，７０９，７１１、トランジスタ７０３，７０７、ツェナーダイオード７１０、電界効果トランジスタ７１２で構成される。
【００６０】
上述と同様に、複数の電磁クラッチ，ソレノイドの何れかが異常通電状態である場合、共通のＧＮＤパターンに備えた抵抗６０１の温度が上昇し、チップサーミスタ７０１の温度が上昇すると、抵抗値が下がり、抵抗７０２との分圧でトランジスタ７０３のＶＢＥが約０．７Ｖに達するとトランジスタ７０４がＯＮする。そしてトランジスタ７０４がＯＮすると、トランジスタ７０７がＯＦＦになると、電界効果トランジスタ７１２からハイレベルのリモート信号がＤＣレギュレータ３３５に出力され、直流電圧ＤＣ２４Ｖが遮断される。
【００６１】
上述の実施形態では、温度検出部としてＮＴＣサーミスタを用いるものとして説明したが、ＰＴＣサーミスタを用いるものであってもよい。この場合、温度検出部の特性に応じてゲート回路の論理レベルやコンパレータに入力する基準電圧値などを適宜調整すればよい。
【００６２】
上述の実施形態では、本発明をデジタル複写機に適用した場合を説明したが、デジタル複写機に限られず、電磁クラッチ、ソレノイドを備えた各種画像処理装置に適用することが可能であることは言うまでもない。
【００６３】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００６４】
【図１】デジタル複写機の概略図
【図２】各種ローラ、メインモータ、電磁クラッチの概略図
【図３】デジタル複写機の制御回路の説明図
【図４】電源部の説明図
【図５】（ａ）はメインモータが起動するタイミングの説明図、（ｂ）は給紙クラッチを接続するタイミングの説明図、（ｃ）は搬送クラッチを接続するタイミングの説明図、（ｄ）はレジストクラッチを接続するタイミングの説明図、（ｅ）はレジストセンサが用紙を検出しているときの説明図
【図６】異常通電状態検出のフローチャート
【図７】別実施形態による温度検出部と電源制御回路の説明図
【図８】別実施形態による電源制御回路の説明図
【符号の説明】
【００６５】
１：デジタル複写機
２００：制御部
７２：レジストローラ
９２：給紙ローラ
９３：搬送ローラ
３３０：電源回路
３３５：ＤＣレギュレータ
４００：メインモータ
４０１：プーリーベルト
５００：温度検出部
５０１：トランジスタ
５０２：励磁コイル
５０４：サーミスタ
５０６：トランジスタ
５３０：ＮＡＮＤ回路
５１０：温度検出部
５１１：トランジスタ
５１２：励磁コイル
５１４：サーミスタ
５１６：トランジスタ
５２０：温度検出部
５２１：トランジスタ
５２２：励磁コイル
５２４：サーミスタ
５２６：トランジスタ
６００：温度検出部
６０６：インバータ
７１２：電界効果トランジスタ
ＣＬ１：給紙クラッチ
ＣＬ２：搬送クラッチ
ＣＬ３：レジストクラッチ
ＣＳ１：クラッチ制御信号
ＣＳ２：クラッチ制御信号
ＣＳ３：クラッチ制御信号
【図１】
2009109525.tif 000003
【図２】
2009109525.tif 000004
【図３】
2009109525.tif 000005
【図４】
2009109525.tif 000006
【図５】
2009109525.tif 000007
【図６】
2009109525.tif 000008
【図７】
2009109525.tif 000009
【図８】
2009109525.tif 000010